(57)【要約】【課題】ベルトのテンション調整時に従動プーリの軸に与えられる偏荷重を小さく抑えることができるドア駆動機構のベルトテンション調整治具の提供。【解決手段】本発明は、従動プーリ１４を支持するプーリ支持部３２と、叩打工具による叩打が可能な立ち上がり部３３とを有し、従動プーリ１４を介してベルト１５にテンションを付与可能な調整ブラケット３０と、ドアポケット１０に固定される固定部４０と、この固定部４０に保持され、調整ブラケット３０を移動させる押しボルト４１とを備えるとともに、固定部４０に装着され、押しボルト４１を保持し、押しボルト４１の回転により固定部４０に対して移動可能な可動部４２を備え、この可動部４２は、調整ブラケット３０の立ち上がり部３３を押圧可能な第１押圧部４３と、プーリ支持部３２を押圧可能な第２押圧部４４とを有している。【選択図】図３
2016023036.tif 000002
【特許請求の範囲】
【請求項１】
駆動プーリと、従動プーリと、これらの駆動プーリと従動プーリに掛け回され、ドアパネルを移動させるベルトとを備えたドア駆動機構の前記ベルトのテンションの調整に用いられ、
移動可能に保持された基部と、この基部に連設され、前記従動プーリを支持するプーリ支持部と、このプーリ支持部の延設方向と直交する方向に沿って前記基部に設けられ、叩打工具による叩打が可能な立ち上がり部とを有し、前記従動プーリを介して前記ベルトにテンションを付与可能な調整ブラケットと、
所定部材に固定される固定部と、
前記固定部に保持され、前記調整ブラケットを移動させる押しボルトとを備えたドア駆動機構のベルトテンション調整治具において、
前記固定部に装着され、前記押しボルトを保持し、前記押しボルトの回転により前記固定部に対して移動可能な可動部を備え、
前記可動部は、前記調整ブラケットの前記立ち上がり部を押圧可能な第１押圧部と、前記従動プーリまたは前記プーリ支持部を押圧可能な第２押圧部とを有し、
前記第１押圧部と前記第２押圧部を前記押しボルトを挟むように設けたことを特徴とするドア駆動機構のベルトテンション調整治具。
【請求項２】
請求項１に記載のドア駆動機構のベルトテンション調整治具において、
前記固定部を前記従動プーリの近傍位置の前記所定部材の部分に取り付け、
前記固定部及び前記可動部を含む高さ寸法を、前記ベルトの上側部分と下側部分との間隔に略等しい高さ寸法に設定したことを特徴とするドア駆動機構のベルトテンション調整治具。
【請求項３】
請求項２に記載のドア駆動機構のベルトテンション調整治具において、
前記可動部は、前記押しボルトのねじ部と螺合する雌ねじ部を有し、前記押しボルトを支持する第１支持部を備え、
前記固定部は、前記押しボルトの先端部を回転自在に支持する第２支持部を備え、
前記押しボルトを、頭部が前記従動プーリ寄りとなるように配置したことを特徴とするドア駆動機構のベルトテンション調整治具。
【請求項４】
請求項３に記載のドア駆動機構のベルトテンション調整治具において、
前記固定部は、前記所定部材の延設方向に沿って延設される長穴を有し、
前記長穴に移動可能に挿入され、前記可動部に保持されるボルトを備えたことを特徴とするドア駆動機構のベルトテンション調整治具。
【請求項５】
請求項４に記載のドア駆動機構のベルトテンション調整治具において、
前記所定部材は、エレベータの乗かご側に設けられ、側面視がコ字形状のドアポケットから成り、
前記調整ブラケットは、前記ドアポケットの上面に移動可能に配置してあり、
前記固定部は、前記ドアポケットの前記上面を含む上側張り出し部を挟持する挟持部を有し、
前記固定部の前記挟持部を前記ドアポケットの前記上側張り出し部に固定するボルトを備えたことを特徴とするドア駆動機構のベルトテンション調整治具。
【発明の詳細な説明】
【技術分野】
【０００１】
本発明は、エレベータの乗かごのドア駆動機構等に備えられるベルトのテンション調整に活用されるドア駆動機構のベルトテンション調整治具に関する。
【背景技術】
【０００２】
この種の従来技術が特許文献１に開示されている。この従来技術は、駆動プーリと、従動プーリと、これらの駆動プーリと従動プーリに掛け回され、ドアすなわちドアパネルを移動させるベルトとを備えたエレベータのドア駆動機構に設けられ、前述したベルトのテンションの調整に用いられるものである。この従来技術は、所定部材例えばドアポケットに移動可能に保持された基部と、この基部に連設され、従動プーリを支持するプーリ支持部と、このプーリ支持部の延設方向と直交する方向に沿って基部に設けられ、ハンマ等の叩打工具による叩打が可能な立ち上がり部を有し、従動プーリを介してベルトにテンションを付与可能な調整ブラケットを備えている。また、この従来技術は、前述したドアポケットに固定される固定部材すなわち治具本体と、この治具本体に保持され、前述の立ち上がり部を押圧して調整ブラケットを移動させる押しボルトとを備えている。
【０００３】
この従来技術は、ベルトのテンションに緩みを生じたときのテンション調整に際して、押しボルトを回転させて、この押しボルトの先端部で調整ブラケットの立ち上がり部を押圧することにより調整ブラケットが移動し、これに伴ってプーリ支持部が一体的に移動し、駆動プーリと従動プーリに巻き掛けられたベルトのテンションが所定範囲内の値となるように調整される。
【先行技術文献】
【特許文献】
【０００４】
【特許文献１】特開２００２−１８８３５７号公報
【発明の概要】
【発明が解決しようとする課題】
【０００５】
前述した従来技術は、押しボルトの先端部によって調整ブラケットの立ち上がり部を押圧して調整ブラケットを移動させ、これによってベルトのテンションを調整するようにしてあるが、この押しボルトの押圧方向と、従動プーリを支持するプーリ支持部の延設方向とが互いに平行となるものの、所定間隔を有することから、押しボルトによる立ち上がり部１点の押圧時に、調整ブラケットを回そうとするモーメントが作用し、従動プーリの軸にベルトのテンションを介して偏荷重が作用する。これによって従動プーリの軸が曲がりやすくなり、従動プーリの耐久性が劣化する懸念がある。
【０００６】
本発明は、前述した従来技術における実情からなされたもので、その目的は、ベルトのテンション調整時に従動プーリの軸に与えられる偏荷重を小さく抑えることができるドア駆動機構のベルトテンション調整治具を提供することにある。
【課題を解決するための手段】
【０００７】
前記目的を達成するために、本発明に係るドア駆動機構のベルトテンション調整治具は、駆動プーリと、従動プーリと、これらの駆動プーリと従動プーリに掛け回され、ドアパネルを移動させるベルトとを備えたドア駆動機構の前記ベルトのテンションの調整に用いられ、移動可能に保持された基部と、この基部に連設され、前記従動プーリを支持するプーリ支持部と、このプーリ支持部の延設方向と直交する方向に沿って前記基部に設けられ、叩打工具による叩打が可能な立ち上がり部とを有し、前記従動プーリを介して前記ベルトにテンションを付与可能な調整ブラケットと、所定部材に固定される固定部と、前記固定部に保持され、前記調整ブラケットを移動させる押しボルトとを備えたドア駆動機構のベルトテンション調整治具において、前記固定部に装着され、前記押しボルトを保持し、前記押しボルトの回転により前記固定部に対して移動可能な可動部を備え、前記可動部は、前記調整ブラケットの前記立ち上がり部を押圧可能な第１押圧部と、前記従動プーリまたは前記プーリ支持部を押圧可能な第２押圧部とを有し、前記第１押圧部と前記第２押圧部を前記押しボルトを挟むように設けたことを特徴としている。
【発明の効果】
【０００８】
本発明に係るドア駆動機構のベルトテンション調整治具は、ベルトのテンション調整に際して、押しボルトを回転させて固定部に対して可動部を移動させると、可動部の第１押圧部が調整ブラケットの立ち上がり部を押圧し、可動部の第２押圧部が従動プーリまたは調整ブラケットのプーリ支持部を押圧する。すなわち、可動部の移動方向に沿うように調整ブラケットを２箇所で押圧して移動させることができる。すなわち本発明は、ベルトのテンション調整時に、調整ブラケットを回そうとするモーメントを生じさせることなく調整ブラケットを移動させることができ、これに応じて従動プーリの軸に与えられる偏荷重を小さく抑えることができる。これによって本発明は、従動プーリの軸の曲がり発生を防ぎ、従動プーリの耐久性を従来に比べて向上させることができ、信頼性の高いベルトテンション調整治具を実現させることができる。
【図面の簡単な説明】
【０００９】
【図１】本発明に係るドア駆動機構のベルトテンション調整治具の一実施形態が活用されるエレベータの要部構成を示す側面図である。
【図２】図１に示したエレベータの乗かごに設けられるドア駆動機構を示す図で、（ａ）図は平面図、（ｂ）図は正面図である。
【図３】本実施形態に係るベルトテンション調整治具を、ドア駆動機構に取り付けた状態を示す図で、（ａ）図は平面図、（ｂ）図は正面図である。
【図４】本実施形態に係るドア駆動機構のベルトテンション調整治具を示す図で（ａ）図は平面図、（ｂ）図は正面図、（ｃ）図は側面図である。
【発明を実施するための形態】
【００１０】
以下、本発明に係るドア駆動機構のベルトテンション調整治具の実施の形態を図面に基づいて説明する。
【００１１】
図１は本発明に係るドア駆動機構のベルトテンション調整治具の一実施形態が活用されるエレベータの要部構成を示す側面図である。
【００１２】
本実施形態に係るベルトテンション調整治具が活用されるエレベータは、図１に示すように、昇降路１内を走行する乗かご２と、この乗かご２の負荷を軽減する釣り合いおもり３と、乗かご２と釣り合いおもり３とを連結するワイヤロープ４と、このワイヤロープ４を移動させる巻上機５とを備えている。
【００１３】
このようなエレベータの乗かご２に設けられるドア駆動機構は、図２に示すように、器具ボックス１１内に収容された制御装置によって制御されるドアモータと、このドアモータの出力軸１２に取り付けられた駆動プーリ１３と、この駆動プーリ１３に対向するように配置される従動プーリ１４と、これらの駆動プーリ１３と従動プーリ１４に巻き掛けられたベルト１５とを備えている。器具ボックス１１は乗かご２側に設けられる所定部材、すなわちドアポケット１０に取り付けられている。ドアモータもドアポケット１０に保持されている。ドアポケット１０は側面視がコ字状の剛性部材によって構成されている。
【００１４】
ドアポケット１０の下側部分にはドアレール１６が延設され、このドアレール１６上を移動可能にローラ装置１７が配置され、このローラ装置１７はベルト１５の下側部分に連結部１８によって連結されている。また、ローラ装置１７は、第１ドアパネル（同図２では下方部分を図示省略してある）に連結されている。第１ドアパネル１９は、図示しないリンク機構を介して第２ドアパネル２０（これも下方部分を図示省略してある）に連結されている。この図２に示す構成は片開きドアとなっている。
【００１５】
所定階床への乗かご２の着床時には、器具ボックス１１に収容された制御装置の制御によってドアモータが回転し、これに伴って駆動プーリ１３が回転する。これにより駆動プーリ１３と従動プーリ１４に巻き掛けられたベルト１５が移動して、ローラ装置１７がドアレール１６上を移動する。これにより第１ドアパネル１９及び第２ドアパネル２０が開方向に移動する。
【００１６】
着床状態にある乗かご２の走行時には、制御装置の制御によってドアモータが前述とは逆方向に回転する。これによりベルト１５が前述とは逆回りに移動して、ローラ装置１７がドアレール１６上を前述とは逆方向に移動する。これにより第１ドアパネル１９及び第２ドアパネルが閉方向に移動する。
【００１７】
従動プーリ１４は、ドアポケット１０の上面に移動可能に設けた調整ブラケット３０に支持されている。調整ブラケット３０は、ドアポケット１０の延設方向に移動可能に保持された基部３１と、この基部３１に連設され、従動プーリ１４を支持するプーリ支持部３２と、このプーリ支持部３２の延設方向と直交する方向に沿って基部３１に設けられ、ハンマ等の叩打工具による叩打が可能な立ち上がり部３３とを有している。この調整ブラケット３０を移動させることにより、従動プーリ１４を介してベルト１５にテンションを付与可能となっている。
【００１８】
図２の（ａ）図に示すように、調整ブラケット３０には、ドアポケット１０の延設方向に沿うように一対の長穴３４を形成してあり、これらの長穴３４に挿入されドアポケット１０の上面に固定される２本のボルト３５を設けてある。ボルト３５は調整ブラケット３０の移動が可能なように長穴３４に挿入されている。
【００１９】
図３は本実施形態に係るベルトテンション調整治具を、ドア駆動機構に取り付けた状態を示す図で、（ａ）図は平面図、（ｂ）図は正面図、図４は本実施形態に係るドア駆動機構のベルトテンション調整治具を示す図で（ａ）図は平面図、（ｂ）図は正面図、（ｃ）図は側面図である。
【００２０】
これらの図３，４に示すように、本実施形態に係るベルトテンション調整治具は、所定部材すなわち図２に示すドアポケット１０の上側張り出し部１０ａに固定される固定部４０と、この固定部４０に装着され、調整ブラケット３０を移動させる押しボルト４１とを備えている。
【００２１】
また本実施形態は、固定部４０に装着され、押しボルト４１を保持し、押しボルト４１の回転により固定部４０に対してドアポケット１０の延設方向に移動可能な可動部４２を備えている。
【００２２】
可動部４２は、調整ブラケット３０の立ち上がり部３３を押圧可能な第１押圧部４３と、従動プーリ１４またはプーリ支持部３２、例えばプーリ支持部３２を押圧可能な第２押圧部４４とを有している。図３の（ａ）図、図４の（ａ）図に示すように、第１押圧部４３と第２押圧部４４を、押しボルト４１を挟むように配置してある。
【００２３】
固定部４０は、図３の（ｂ）図に示すように、従動プーリ１４の近傍位置のドアポケット１０の上側張り出し部１０ａに取り付けてあり、固定部４０と可動部４２を含む高さ寸法を、ベルト１５の上側部分と下側部分との間隔に略等しい高さ寸法に設定してある。
【００２４】
可動部３０は、押しボルト４１のねじ部４１ａと螺合する雌ねじ部を形成するナット５０ａが溶接により固定され、押しボルト４１を支持する第１支持部５０を備えている。
【００２５】
固定部４０は、押しボルト４１の先端部４１ｂを回転自在に支持する第２支持部５１を備えている。押しボルト４１は、頭部が従動プーリ１４寄りとなるように配置してある。
【００２６】
図４の（ｂ）図に示すように、固定部４０はドアポケット１０の延設方向に沿って延設される一対の長穴４７を有し、これらの長穴４７に移動可能に挿入され、可動部４２に保持される２本のボルト４８を備えている。
【００２７】
また、固定部４０は、ドアポケット１０の上面を含む上側張り出し部１０ａを挟持する挟持部４５を有しており、この挟持部４５をドアポケット１０の上側張り出し部１０ａに固定する２本のボルト４６を備えている。
【００２８】
このように構成した本実施形態は、ベルト１５のテンション調整に際しては、固定部４０の挟持部４５をドアポケット１０の上側張り出し部１０ａにボルト４６によって固定し、この状態で作業者は作業スペースＳから回転工具を把持した手を差し込み、押しボルト４１の頭部４１ｃを回転工具によって回転させる。これにより押しボルト４１のねじ部４１ａとナット５０ａの螺合を介して可動部４２を従動プーリ１４に近づく方向に移動させることができる。
【００２９】
この可動部４２の移動によって、可動部４２の第１押圧部４３が調整ブラケット３０の立ち上がり部３３を押圧し、同時に、可動部４２の第２押圧部４４が従動プーリ１４を支持する調整ブラケット３０のプーリ支持部３２を押圧する。これらの第１押圧部４３及び第２押圧部４４を介して行われる調整ブラケット３０への押圧により、調整ブラケット３０がドアポケット１０の延設方向に沿って移動し、従動プーリ１４を介してベルト１５のテンションが所定範囲内の値となるように調整される。
【００３０】
このように構成した本実施形態によれば、ベルト１５のテンション調整に際して、押しボルト４１を回転させて固定部４０に対して可動部４２を移動させると、可動部４２の移動方向に沿うように調整ブラケット３０を２箇所で押圧して移動させることができる。すなわち本実施形態は、ベルト１５のテンション調整時に、調整ブラケット３０を回そうとするモーメントを生じさせることなく調整ブラケット３０を移動させることができ、これに応じて従動プーリ１４の軸に与えられる偏荷重を小さく抑えることができる。これにより本実施形態は、従動プーリ１４の軸の曲がり発生を防ぎ、従動プーリ１４の耐久性を向上させることができ、信頼性の高いベルトテンション調整治具を実現させることができる。
【００３１】
また本実施形態は、図３の（ｂ）図に示したように、固定部４０を従動プーリ１４の近傍位置のドアポケット１０の上側張り出し部１０ａに固定し、固定部４０及び可動部４２を含む高さ寸法を、ベルト１５の上側部分と下側部分との間隔に略等しい高さ寸法に設定したことから、周辺機材との干渉を生じさせないコンパクトな構成とすることができる。
【００３２】
また本実施形態は、押しボルト４１を頭部４１ｃが従動プーリ１４寄りとなるように配置し、押しボルト４１の回転によって可動部４２を固定部４０に対して移動させる構成にしたことから、図３に示すように、器具ボックス１１の端部とドアポケット１０の端部との間に、押しボルト４１を回転させる回転工具を把持した作業者の手をエレベータの乗場側から差し込むことができる作業スペースＳを確保することができる。これによりエレベータの乗場側からのベルト１５のテンション調整を行うことができ、ベルト１５のテンション調整作業を能率良く行うことができる。
【００３３】
なお、前述した実施形態は、片開きドアを有するエレベータの乗かご２に適用させたものであるが、本実施形態は、両開きドアを有するエレベータの乗かご２に適用可能なことはもちろんである。また、エレベータの乗かご２に限られることなく、前述した基本構成のドア駆動機構を有するものであれば、適用可能である。
【００３４】
また、前述した実施形態は、可動部の第１支持部５０に押しボルト４１のねじ部４１ａに螺合する雌ねじ部を形成するナット５０ａを溶接したが、ナット５０ａを省き、第１支持部５０に押しボルト４１のねじ部４１ａに螺合する雌ねじ部を形成するねじ孔を設けるようにしてもよい。
【符号の説明】
【００３５】
２      乗かご
１０    ドアポケット（所定部材）
１０ａ  上側張り出し部
１１    器具ボックス
１２    出力軸
１３    駆動プーリ
１４    従動プーリ
１５    ベルト
１６    ドアレール
１７    ローラ装置
１８    連結部
１９    第１ドアパネル
２０    第２ドアパネル
３０    調整ブラケット
３１    基部
３２    プーリ支持部
３３    立ち上がり部
３４    長穴
３５    ボルト
４０    固定部
４１    押しボルト
４１ａ  ねじ部
４１ｂ  先端部
４１ｃ  頭部
４２    可動部
４３    第１押圧部
４４    第２押圧部
４５    挟持部
４６    ボルト
４７    長穴
４８    ボルト
５０    第１支持部
５０ａ  ナット（雌ねじ部）
５１    第２支持部
Ｓ      作業スペース
【図１】
2016023036.tif 000003
【図２】
2016023036.tif 000004
【図３】
2016023036.tif 000005
【図４】
2016023036.tif 000006